(57)【要約】受信装置(130)による受信用の信号(120)を送信する送信機(110)である。送信機は、信号が物理的に受信可能な地理的領域の表示を信号に挿入するように構成される。地理的領域は、幾何学的図形を使用して信号に示されることが好ましい。受信装置は、１つ以上の信号を受信し、その信号のそれぞれは、各信号が物理的に受信可能な地理的領域の表示を運び、その表示からその場所を決定するように構成される。受信機は、受信した多様な信号で運ばれる地理的領域のセットの交差を、それが存在する地理的領域として計算することができる。その決定された場所に基づいて、コンテンツが特定の領域に制限されている場合に、受信機は、コンテンツへのアクセスを制限することができる。
2006522535.tif 000002
【特許請求の範囲】
【請求項１】
受信装置による受信用の信号を送信する送信機であって、
前記信号が物理的に受信可能な地理的地域の表示を前記信号に挿入するように構成された送信機。
【請求項２】
請求項１に記載の送信機であって、
放送チャネルで前記信号を送信するように構成された送信機。
【請求項３】
請求項１に記載の送信機であって、
他の送信機から前記信号を受信し、前記信号において、前記信号に存在する地理的地域の表示を、前記送信機により送信される信号が物理的に受信可能な地理的地域の表示と交換するように構成された送信機。
【請求項４】
請求項１に記載の送信機であって、
前記送信機の位置の表示と共に、前記信号の送信に使用される出力レベルを前記表示として挿入するように構成された送信機。
【請求項５】
請求項１に記載の送信機であって、
前記地理的地域は、幾何学的図形を使用して前記信号に示される送信機。
【請求項６】
１つ以上の信号を受信する受信装置であって、
各信号は、各信号が物理的に受信可能な各地理的地域の表示を運び、
前記装置は、前記表示からその場所を決定するように構成された受信装置。
【請求項７】
請求項６に記載の受信装置であって、
前記表示で最も頻繁に生じる表示からその場所を決定するように構成された受信装置。
【請求項８】
請求項６に記載の受信装置であって、
比較的最高の信号強度で受信された各受信信号のうちの１つで運ばれる表示からその場所を決定するように構成された受信装置。
【請求項９】
請求項６に記載の受信装置であって、
比較的最低の信号強度で受信された各受信信号のうちの１つに存在する表示からその場所を決定するように構成された受信装置。
【請求項１０】
請求項６に記載の受信装置であって、
各地理的地域の交差としてその場所を決定するように構成された受信装置。
【請求項１１】
請求項６に記載の受信装置であって、
前記表示は、前記送信機により使用される出力レベルを表し、
前記受信装置は、受信信号の受信出力レベルを測定するように構成され、
前記決定は、前記表示と前記受信出力レベルとに基づいて行われる受信装置。
【請求項１２】
請求項６に記載の受信装置であって、
前記地理的地域は、幾何学的図形を使用して前記信号に示される受信装置。
【請求項１３】
請求項６に記載の受信装置であって、
他の装置にその決定された場所の表示を送信するように構成された受信装置。
【請求項１４】
請求項６に記載の受信装置であって、
前記コンテンツがアクセスされ得る地理的地域の表示を運ぶコンテンツを受信するように構成され、
前記コンテンツに示される地理的地域が前記決定された場所と重複する場合に、前記コンテンツにアクセスするように構成された受信装置。
【発明の詳細な説明】
【背景技術】
【０００１】
コピープロテクトは、エンターテインメント素材のような著作権素材の所有者を、素材の無許可の配信から保護する。しかし、著作権素材の購入者は、自分の利便性及び楽しみのため、購入した素材をコピーできることを期待する。標準化及び技術は、プロテクト素材の購入者が素材を自由にコピーすることを可能にするコピープロテクトシステムを提供するように進化し続けているが、プロテクト素材の所有者に対して広範囲の配信からのある程度の保護を依然として提供している。
【０００２】
この問題に対する１つの対策は、特定の地理的地域(例えば１つの国)にコンテンツの配信を制限することがある。例えば米国で購入されたDVDディスクは、一般的にヨーロッパで購入されたDVDプレイヤで再生不可能である。同様の状況が放送コンテンツにも生じる。
【０００３】
放送における地域の制限は、放送信号が受信可能な領域に制限することで実現され得る。アンテナが正しい地理的領域にある場合に、信号を受信することができる。この方法は、地上波放送及び衛星放送により使用される。
【０００４】
他の手法は、セットトップボックス(STB)のような装置の可用性に依存する。コンテンツにアクセスするために必要な装置又はサービスは、特定の地域でのみ購入可能である。この方法は、ドイツテレビの受信をオランダに制限するためにCanal+で使用されている(STBをオランダで購入し、加入をアクティブにするために非国際電話呼出を使用しなければならない)。
【０００５】
コンテンツにアクセスするために必要な装置がどこででも購入可能であるが、正しい地理的領域でのみコンテンツを受けることができれば、望ましい。それに取り組むため、その装置はその場所を知らなければならない。これを実現する選択肢は、ユーザが各装置にGPS受信機を実装するように設定することから多岐にわたる。しかし、ユーザが手動で位置を入力できるようにすることは十分に安全ではなく、GPS受信機は高価すぎる。
【発明の開示】
【発明が解決しようとする課題】
【０００６】
受信機が軽減したユーザ介入でその場所を決定する方法を提供することが、本発明の目的である。
【課題を解決するための手段】
【０００７】
この目的は、受信装置による受信用の信号を送信する送信機であって、信号が物理的に受信可能な地理的地域の表示を挿入するように構成された送信機において、本発明に従って実現される。
【０００８】
この目的は、１つ以上の信号を受信する受信装置であって、各信号は、各信号が物理的に受信可能な各地理的地域の表示を運び、前記装置は、その表示からその場所を決定するように構成された受信装置において、本発明に従って実現される。
【０００９】
地理的地域は多様な方法でコード化され得る。好ましい対策は、信号の送信用に使用される出力レベルを使用すること、又は幾何学的図形(例えば１つ以上の長方形)を使用した地理的地域を表示することである。送信側において、どの地理的地域で送信が物理的に受信可能であるかを事前にかなり正確に決定することが可能である。この地域の表示は、信号(例えばMPEG伝送ストリームのテーブルの記述子のようなメタデータ)に挿入可能であるが、透かしのように他の多数の選択肢も利用可能である。
【００１０】
受信機は、信号で運ばれる表示を抽出し、それからその場所を決定する。表示は信号が物理的に受信可能な地理的地域を示し、受信機は実際にその信号を受信しているため、受信機がこの地理的地域になければならないという結果になる。
【００１１】
受信機は、(例えばホームネットワークを介して)１つ以上の他の装置に結合されてもよい。その場合、受信機はその決定した場所を他の装置に送信し、それにより、他の装置もどの地域にあるかを知る。
【００１２】
複数の信号が受信されると、そのそれぞれは、その独自の表示を運んでもよい。例えば受信機が国境にある場合、又は１つの表示が他のもののサブセットである場合、これらの表示が異なる可能性がある。その場合、受信機は、その場所を決定するために、何らかのプロトコルを使用し、表示を推定する必要がある。本発明のいくつかの実施例は、このような適切なプロトコルを提供する。
【００１３】
地理的地域の表示は、長方形、円又は楕円のような幾何学的図形のセットであることが好ましい。受信機は、それが存在する地理的地域として受信した多様な信号で運ばれるそのセットの交差を計算することができる。この場所は、１つ以上の幾何学的図形と共に受信機に格納され得る。
【００１４】
コンテンツは、コンテンツが再生、記録、再送信等を許可されている地理的地域の表示を運ぶことができる。その決定した場所に基づいて、受信機はこのようなコンテンツへのアクセスを制限することができる。次に、受信機は、表示の地域とその場所とを比較し、その２つが合致しない場合には、コンテンツの再生、記録又は再送信を拒否する。表示が幾何学的図形のセットである場合には、そのセットの交差が空のセットである場合に拒否が生じる。
【００１５】
携帯電話が(関連の出力レベルと共に)検出した送信機のマスト(mast)のIDをサーバに送信するような、携帯電話の測位システム自体は知られている。サーバは、SMSメッセージを使用して電話の位置に返信する。この情報は競争上の優位性を保つために秘密にされているため、このメッセージはマストの位置を含まない。詳細については、www.infosyncworld.com/news/n/1999.html及びwww.infosyncworld.com/news/n/2990.htmlのインターネットアドレスを参照のこと。
【００１６】
有利な実施例が従属項に示されている。
【発明を実施するための最良の形態】
【００１７】
本発明の前記及び他の態様は、図面に示す実施例から明らかになり、図面を参照して説明する。
【００１８】
図面を通じて、同じ参照数字は、類似の又は対応する機能を示す。図面に示す機能のいくつかは、一般的にソフトウェアで実装され、そのため、ソフトウェアモジュール又はオブジェクトのようなソフトウェアエンティティを表す。
【００１９】
図１は、受信装置130による受信用の信号120(好ましくは放送信号)を送信する送信機110を示している。本発明によれば、送信機110は、信号120が物理的に受信可能な地理的地域の表示を信号120に挿入するように構成される。
【００２０】
この文献において、“送信機”という用語は、信号を受信側に送信可能な何らかの装置又はシステムとして、広く使用される。可能な実施例には、アナログ若しくはデジタルテレビ放送システム又はケーブルネットワークが含まれる。
【００２１】
どこで信号120が物理的に受信可能であるかを決定することは、多様な方法で行われ得る。簡単な方法は、送信機の周辺の領域を移動する受信機を使用し、受信機が信号を依然として受信可能な場所と信号をもはや受信不可能な場所とを記録することである。アンテナの高度や送信機の出力レベルや地形データのようなデータに基づいて、送信機によりカバーされる領域を計算することも可能である。更なる情報について、R.E.CollinのAntennas  and  radio  wave  propagation、McGraw-Hill  Higher  Education、第４版、1985年2月や、M.P.M.HallのPropagation  of  radiowaves、IEEE  Publishing、1996年11月や、C.H.PapasのTheory  of  electromagnetic  wave  propagation、Dover  Pubns、1988年10月や、D.S.JonesのMethods  in  EM  wave  propagation、Clarendon  Publishing、1995年9月のようなハンドブックを読者に示す。
【００２２】
DVB標準に準拠する受信機は、DVB信号の一部として地域情報を提供され得る。それが依存する信号は、非常に特定の領域(DVB-C:都市、DVB-IPI:住所)でのみ利用可能である。この情報は装置に提供可能である。この情報は、サービスプロバイダ特有のプロトコルを使用して、又は衛星及び地上波受信機と同じ方法で受信機により受信されるストリームに位置情報を埋め込むことにより、提供可能である。
【００２３】
非IPIネットワークに接続された装置の位置は、受信している信号の情報を提供することにより決定可能である。DVB-C装置の場合、これがケーブルネットワークの位置(常に１つの領域)である。DVB-T受信機については、位置は、受信可能な信号(一般的には複数の領域)から決定可能である。信号が受信可能な領域が膨大であるDVB-S装置については、より困難になる。しかし、依然として推定が行われ得る。
【００２４】
BBCは、www.bbc.co.uk/reception/tv_transmitters/index.shtmlのウェブサイトでUKのDVB-Tシステムで使用される主な送信機の概要を提供している。ウェブサイトの情報を使用して、約150km以内の位置を決定することが可能である。中継局が使用される場合、例えば40kmの精度が実現可能である。
【００２５】
2003年10月のAssociation  of  Maximum  Service  Television,  Inc.用に準備され、www.mstv.org/docs/DTVRptFinal.pdfでインターネットで入手可能なMark  R.FratrikによるレポートReaching  the  Audience:  An  Analysis  of  Digital  Broadcast  Power  and  Coverage  は、USA内の送信機について類似の情報を提供しており、これにより、前述のUK内のDVB-Tシステムと同様の計算が可能になる。
【００２６】
図２は、送信機110が他の送信機210から信号120を受信する他の実施例を示している。例えば、送信機110は、ケーブルネットワークで衛星信号を再送信していてもよい。元の信号220は、それが物理的に受信可能な地理的地域の表示を有する。送信機110は、信号220でこの元の表示を、再送信信号120が受信可能な地理的地域の表示に交換するべきである。
【００２７】
この実施例は、例えば、DVBに基づく方法が使用される場合に用いられるように、送信器がヘッドエンドである場合に有用である。ヘッドエンドの送信機は他の送信機210から元の信号220を受信し、それを信号120として再送信する前に、信号220の地域表示を更新しなければならない。より具体的には、ヘッドエンドは“広い”地域表示(“European  Union”又は“United  Kingdom”)を、それが特にカバーしている更に狭い地域(例えば“London”又は“Wales”)に交換してもよい。
【００２８】
信号120が物理的に受信可能な表示は、例えば透かしを使用したコンテンツ又はサイドチャネル(side  channel)に存在してもよい。MPEG伝送ストリームが使用される場合、表示は、テーブル(既存のテーブル又は新たに追加されたターブル)に挿入されてもよい。例えば、Transport  Stream  Description  Table(TSDT)又はNetwork  Information  Table(NIT)が使用されてもよい。
【００２９】
位置は多様な方法でコード化され得る。座標システムで行われてもよく、以下のような人間解読可能な変形を使用して行われてもよい。
・EU、NL、Eindhoven、Prof.Holstlaan、WY
・EU、FR、Tarn、Albi、Carmaux、Pampelonne、Lunaget、LeLabot
・EU、NL、Lopik
このようなシステムの利点は、(ユーザによる入力であっても)ユーザと通信可能であることである。このようなシステムの欠点は、どこで信号が十分に詳細に受信可能であるかを示すことが必要な場合に、更に詳細な情報が急速に増加することである。
【００３０】
位置は、１つの領域表示又は領域表示のセット(例えば“England、Wales”)としてコード化され得る。
【００３１】
他の手法は、座標を使用することである。しかし、それは不規則な形を記述するのが困難であるという欠点を有する。円／長方形／台形／楕円のような基本的な図形は、比較的容易に記述可能である。例えばフランスによりカバーされる領域の座標を記述することはかなり複雑になる。位置は特定の精度でのみ決定され得る。
【００３２】
信号が受信可能な地域はまた、受信機の位置と送信機の出力と受信出力とを使用して決定され得る。この情報に基づいて、アンテナまでの受信機の距離は、以下の式に従って推定可能である。
【００３３】
【数１】
2006522535.tif 000003
この式では、Riは送信機iの周辺の地理的地域を示し、Pbr,iは送信機iの放送出力であり、Prev,iは送信機iの受信出力である。このような計算はアンテナの形状にかなり依存するため、間違いが多いと予想される。より少ないリソースを必要とする更に簡単な方法は、受信機130の計算に依存する代わりに、信号が特定の出力閾値の上で受信可能な領域として送信機110の受信領域を示すことである。
【００３４】
このような実施例では、送信機110は、その位置の表示と共に、信号120の送信用に使用される放送出力レベルを信号に挿入する。受信機130は、信号120からこの情報を読み取り、前記の式を適用し、送信機110と受信機130との間の距離を推定することができる。その距離及び送信機110の位置は、受信機130にその場所の推定を提供する。この実施例では、受信機130は、送信機110の受信出力を決定する手段を有していなければならない。
【００３５】
数学的図形のうち、直線を使用した図形は、最も簡単な計算を可能にする。円の図形は、無線信号でカバーされる領域に最も適合する。地球の湾曲のため、特に大きい領域では、台形は長方形より優れた図形になる。それは、２つの経度と２つの緯度との間でカバーされる領域の適度な近似を与える。
【００３６】
その他に行われるべき議論は、アンテナが１つの形状又は一式の形状を使用して記述されているか否かである。送信機については、円が受信領域に対する優れた一次の手法である。指向性アンテナを備えた送信機については、一式の楕円がより良い近似になる。
【００３７】
国の場合、一式の長方形が良い近似になると思われるため、これが好ましい実装である。例が図３に示されている。図３は、オランダ(NL)とベルギー(BE)とデンマーク(DK)とドイツ(DE)との地理的地域を表した一式の長方形を示している。
【００３８】
信号120の表示としてこのような一式の長方形を与えられると、受信機130は、この一式の長方形をローカルメモリに単に格納することにより、その場所を決定することができる。受信機130が他の装置に接続されている場合、受信機130をその一式を他の装置に送信してもよい。このように、例えば住宅ゲートウェイは、その場所にある家庭の全ての装置に通知することができる。
【００３９】
その後、受信機130は、コンテンツがアクセスされ得る地理的地域の表示を運ぶコンテンツを受信してもよい。例えば、映画はオランダでの受信用のみに放送されてもよい。受信機130は、それがあると決定した場所とコンテンツに示される地理的地域が重複する場合にのみ、コンテンツにアクセスし得る。
【００４０】
コンテンツがアクセスされ得る地域の表示はまた、地域を近似する一式の幾何学的図形として提供されることが好ましい。場所が一式の長方形又は前述の他の幾何学的図形として決定される場合、格納された一式の図形とコンテンツで運ばれた一式の図形との交差を単に計算することにより、重複が決定されてもよい。
【００４１】
表示は、例えば透かし又はサイドチャネルを使用して、コンテンツに存在してもよい。MPEG伝送ストリームが使用される場合、表示はテーブル(既存のテーブル又は新規に追加されたテーブル)に挿入されてもよい。これらの選択肢については以下に説明する。
【００４２】
受信機130は、複数の異なる送信機から複数の信号を受信する可能性がある。その結果、受信機130も異なる地理的地域の複数の異なる表示を受信することが予想される。例えば、受信機130はドイツ／ベルギーの国境にあり、そのそれぞれの国境をそれぞれ示すドイツの送信機とベルギーの送信機とから信号を受信してもよい。他の可能性は、１つの信号が例えばUnited  Kingdom全体を示して受信され、他の信号がWalesの公国を示すことがある。受信機130は、これらの複数の表示からその実際の場所を導く必要がある。この状況に対処するいくつかの選択肢として以下のものがある。
−最も頻繁に生じた表示(すなわち特定のアンテナからの最大数の受信)から場所を選定する。
−比較的最高の受信信号強度を備えた信号で運ばれる表示から場所を選定する。これは、受信機がその信号の送信機に最も近いことを示す。
−比較的最低の送信信号強度を備えた信号で運ばれる表示から場所を選定する。これは、受信機が、その信号の送信機によりカバーされ地域にある可能性があることを示す。
−例えば全ての受信した幾何学的図形の交差を計算することにより、多様な表示の地域の重複を計算する。
−信号の出力を使用する全ての選択肢は、送信の出力がメタデータに含まれており、受信機が受信信号の出力を測定する必要があることを要求する。最大数のチャネルは、正確でない特定の領域でのチャネルの同種の配信に依存する。好ましい対策は、異なる信号について重複領域を決定することである。これは、信号が受信可能な領域が長方形でコード化される場合に容易である。また、受信領域を推定するために円が使用される場合にも、長方形の対策は適度な対策を提供する。
【００４３】
図４は、重複領域の計算を示している。受信機130は、図Ｘに円としてグラフィック表示される複数の表示を受信している。全ての円の交差は、黒で図示されている。重複領域が計算されており、ハッシング(hashing)で示されている。この重複領域は、左上の角(xleft,yup)及び右下の角(xright,ydown)での長方形として計算されているが、当然のことながら、長方形を表す他の複数の方法も可能である。これらの座標を計算するため、以下の式が使用される。
【００４４】
xleft=max(xi-Ri)
xright=min(xi+Ri)
yup=min(yi+Ri)
ydown=max(yi-Ri)
ここで、xi及びyiは円iのX座標及びY座標であり、Riは円iの半径である。
【００４５】
これは、不一致の場合にどうすべきか、又は重複が計算不可能な場合にどうすべきかについての問題を残す。原則として、送信機の受信領域はこれが生じ得ないように選ばれるべきである。これが生じた場合、この問題を対処し得るいくつかの方法が存在する。例えば、ユーザが選択を行うように促されてもよく、また、領域のある部分(例えば最低の信号強度を備えた送信機からのもの)が計算から除外されてもよい。
【００４６】
信号120の地域の表示を挿入するために、前述のように多数の選択肢が利用可能である。好ましい実施例は、MPEG-2伝送ストリームの形式の信号(特にDVB信号)に焦点を当てる。情報は、新しいテーブル又は既存のテーブルの記述子としてストリームにコード化されてもよい。
【００４７】
特に位置情報用の新しいテーブルは利点と欠点とを有する。運ばれる情報量が大きい場合に、この情報に特有のオーバーヘッドを管理するため、及び／又は容易な再多重化のため、特別のテーブルが有用である。情報が既存のテーブルに埋め込まれる場合、NIT又はTSDTは最善の候補である。位置情報は非常に安定しており、めったに変化しない。同じことがNIT及びTSDT情報にも当てはまる。従って、位置情報をNIT情報テーブル及び／又はTSDTテーブルに加えることが道理にかなっており、それによって、しばしば繰り返されるテーブルに加えることで、あまりにも頻繁に他のテーブルに追加し及び位置情報を送信する必要を回避する。
【００４８】
テーブルの情報は記述子を使用して運ばれるため、位置情報は記述子のフォーマットにコード化される。この手法の結果として、情報の長さは255バイトより大きくならない。
【００４９】
この好ましい実施例では、受信領域は以下のテーブルに従って最も良く記述される。
【００５０】
【表１】
2006522535.tif 000004
任意選択で、信号120は、他の送信機により送信される信号が物理的に受信可能な地理的地域を表す更なる情報を有してもよい。この場合の受信機130は、これらの他の送信機からの信号を受信することができるか否かを決定するべきである。そうでない場合、これらの地理的領域は、受信機130が決定した場所に含まれるべきではない。これらの信号が受信できない場合、明らかに受信機130はこのような信号が受信可能な地域に存在しない。
【００５１】
しかし、送信エラー又は他の問題のため、実際に受信機130が正しい地域に存在する場合でも、これらの信号が受信されないことがあるというリスクが存在する。このリスクを軽減するため、これらの地理的地域が一時的にのみ考慮されること、又はこれらの他の信号が時間的に後に受信された場合に決定手順を繰り返すことが推奨される。
【００５２】
例えば、これらの地理的領域を表す幾何学的図形は、送信機110により送信される信号120が物理的に受信可能な地域を表す信号120において幾何学的図形から控除されてもよい。
【００５３】
複数の手段を列挙した如何なる装置の請求項においても、これらの手段のいくつかは、同一のハードウェアのアイテムに具現されてもよい。特定の手段が相互に異なる従属項に記載されているという単なる事実は、これらの手段の組み合わせが有利に使用できないことを示しているのではない。
【００５４】
前述の実施例は本発明を限定するものでなく、説明するものであり、本発明の範囲を逸脱することなく、当業者は多数の代替実施例を設計することができる点に留意すべきである。
【００５５】
本発明の目的上、“アクセス”という用語は、コンテンツ素材にアクセスして処理する何らかの処理及び全ての処理を有し、コピー、再生、表示等を含み、それらに限定されない。同様に、“コピー”という用語は、多用な形式のうちいずれかのコンテンツ素材のコピーを作る何らかの処理及び全ての処理を有し、素材の格納、取り外し可能記憶装置への素材の提供、遠隔装置への素材の送信等を含み、それらに限定されない。
【００５６】
請求項において、括弧の間の如何なる参照符号も請求項を限定するものとして解釈されるべきではない。“有する”という用語は、請求項に記載のもの以外の要素又はステップの存在を除外するものではない。要素の先行詞は、そのような要素の複数の存在を除外するものではない。本発明は、複数の明確な要素を有するハードウェアを用いて、及び適切にプログラムされたコンピュータを用いて実装され得る。
【図面の簡単な説明】
【００５７】
【図１】受信装置による受信用の信号を送信する送信機の概略表示
【図２】送信機が他の送信機から信号を受信する他の実施例
【図３】オランダ(NL)とベルギー(BE)とデンマーク(DK)とドイツ(DE)との地理的地域を示す一式の長方形
【図４】重複領域の計算
【図１】
2006522535.tif 000005
【図２】
2006522535.tif 000006
【図３】
2006522535.tif 000007
【図４】
2006522535.tif 000008
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
受信装置による受信用の信号を送信する送信機であって、
他の送信機から前記信号を受信し、前記信号において、前記信号に存在する地理的地域の表示を、前記送信機により送信される信号が物理的にほぼ受信可能な地理的地域の表示と交換するように構成された送信機。
【請求項２】
請求項１に記載の送信機であって、
前記送信機の位置の表示と共に、前記信号の送信に使用される出力レベルを前記表示として挿入するように構成された送信機。
【請求項３】
請求項１に記載の送信機であって、
前記地理的地域は、幾何学的図形を使用して前記信号に示される送信機。
【請求項４】
１つ以上の信号を受信する受信装置であって、
各信号は、各信号が物理的にほぼ受信可能な各地理的地域の表示を運び、
前記装置は、前記表示からその場所を決定するように構成された受信装置。
【請求項５】
請求項４に記載の受信装置であって、
前記表示で最も頻繁に生じる表示からその場所を決定するように構成された受信装置。
【請求項６】
請求項４に記載の受信装置であって、
比較的最高の信号強度で受信された各受信信号のうちの１つで運ばれる表示からその場所を決定するように構成された受信装置。
【請求項７】
請求項４に記載の受信装置であって、
比較的最低の信号強度で受信された各受信信号のうちの１つに存在する表示からその場所を決定するように構成された受信装置。
【請求項８】
請求項４に記載の受信装置であって、
各地理的地域の交差としてその場所を決定するように構成された受信装置。
【請求項９】
請求項４に記載の受信装置であって、
前記表示は、前記送信機により使用される出力レベルを表し、
前記受信装置は、受信信号の受信出力レベルを測定するように構成され、
前記決定は、前記表示と前記受信出力レベルとに基づいて行われる受信装置。
【請求項１０】
請求項４に記載の受信装置であって、
前記地理的地域は、幾何学的図形を使用して前記信号に示される受信装置。
【請求項１１】
請求項４に記載の受信装置であって、
他の装置にその決定された場所の表示を送信するように構成された受信装置。
【請求項１２】
請求項４に記載の受信装置であって、
前記コンテンツがアクセスされ得る地理的地域の表示を運ぶコンテンツを受信するように構成され、
前記コンテンツに示される地理的地域が前記決定された場所と重複する場合に、前記コンテンツにアクセスするように構成された受信装置。
【国際調査報告】
2006522535.tif 000009
2006522535.tif 000010